(57)【特許請求の範囲】
【請求項１】
映像処理回路に要求される負電圧電源用のキャパシタを備え、該キャパシタにチャージポンプ回路により負電圧が生成されるようにした映像回路において、
前記チャージポンプ回路を駆動する発振回路を周波数可変型とするとともに、該周波数可変型の発振回路の発振周波数を変化させる周波数制御回路を設け、
該周波数制御回路が徐々に高くなり次に徐々に低くなりこれが繰り返されるランプ電圧を発生する回路からなり、前記発振回路の発振周波数が該ランプ電圧に応じてスイープされるようにしたことを特徴とする映像回路。
【発明の詳細な説明】
【技術分野】
【０００１】
本発明は、映像処理回路とチャージポンプ回路を備えた映像回路に係り、特にチャージポンプ回路で発生させた負電圧を映像処理回路の負電源電圧として使用する場合に、その負電圧に含まれるスパイク状ノイズが映像信号に与える影響を低減した映像回路に関するものである。
【背景技術】
【０００２】
図４にチャージポンプ回路により発生した負電圧を負電源電圧として映像処理回路に供給する従来の映像回路の構成を示す。映像処理回路１０は、同期信号を含む入力映像信号のシンクチップとペデスタルのレベルをクランプするクランプ回路（あるいはバイアス回路）１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大および出力容量レス化のために、正電源電圧＋Ｖと負電源電圧−Ｖが電源として供給される。Ｃ１は直流カット用のキャパシタ、Ｃ２は負電圧供給用のキャパシタである。なお、クランプ回路１１と映像信号処理回路１２には正電源電圧＋Ｖと接地電圧ＧＮＤが供給される。
【０００３】
５０は１００ＫＨｚ前後の周波数のパルスを発生するフリーラン発振回路である。２０はチャージポンプ回路であり、フリーラン発振回路５０から出力する発振出力を入力し、キャパシタＣ２と協働して負電圧−Ｖを発生して、映像処理回路１０の出力駆動回路１３に供給する。
【０００４】
チャージポンプ回路２０は、図５に示すように、充電用キャパシタＣ４、前記したキャパシタＣ２、スイッチＳＷ１〜ＳＷ４からなり、フリーラン発振回路５０の発振出力がＨレベルのときはスイッチＳＷ１，ＳＷ２をオフ、スイッチＳＷ３，ＳＷ４をオンにし、ＬレベルのときはスイッチＳＷ１，ＳＷ２をオン、スイッチＳＷ３，ＳＷ４をオフにし、これにより、キャパシタＣ２，Ｃ４には図示の極性の電荷が充電され、キャパシタＣ２に負電圧−Ｖが生成される。このような映像回路としては、特許文献１の図４に記載の回路がある。
【特許文献１】特開２００６−１００３５０号公報
【発明の開示】
【発明が解決しようとする課題】
【０００５】
ところが、図４の映像回路では、フリーラン発振回路５０の発振出力に基づきチャージポンプ回路２０のスイッチＳＷ１〜ＳＷ４のオン／オフが規則的に行われるので、生成される負電圧−Ｖには規則的なリップル成分が含まれる。そして、そのリップル成分が大きな場合、スイッチＳＷ１〜ＳＷ４を構成するトランジスタの貫通電流等の影響により、そのスイッチの切り替わりタイミングで、短い一定周期のスパイク状パルスが発生し、図６の「出力映像信号」の波形に示すように、映像信号に乗ってしまう。フリーラン発振回路５０の発振出力は周波数が一定であるため、このスパイク状ノイズは映像信号と同期し易く、その結果、頻繁にビートノイズが発生する。
【０００６】
本発明の目的は、スパイク状ノイズが映像信号と同期し難くして、出力映像信号の品質を向上させた映像回路を提供することである。
【課題を解決するための手段】
【０００７】
上記目的を達成するために、請求項１にかかる発明の映像回路は、映像処理回路に要求される負電圧電源用のキャパシタを備え、該キャパシタにチャージポンプ回路により負電圧が生成されるようにした映像回路において、前記チャージポンプ回路を駆動する発振回路を周波数可変型とするとともに、該周波数可変型の発振回路の発振周波数を変化させる周波数制御回路を設け、該周波数制御回路が徐々に高くなり次に徐々に低くなりこれが繰り返されるランプ電圧を発生する回路からなり、前記発振回路の発振周波数が該ランプ電圧に応じてスイープされるようにしたことを特徴とする。
【発明の効果】
【０００８】
本発明によれば、チャージポンプ回路を駆動する発振出力の周波数が変化するので、発生する負電圧に含まれるリップル成分の周波数も映像信号の周期とは無関係に変化し、発生するスパイク状ノイズも映像信号との相関が無くなる。よって、映像にビートノイズのような模様が映ることが防止でき、出力映像信号の品質を向上させることができる。
【発明を実施するための最良の形態】
【０００９】
図１は本発明の１つの実施例の映像回路の構成を示すブロック図である。映像処理回路１０は、図４の構成と同様に、同期信号を含む入力映像信号のシンクチップとペデスタルのレベルをクランプするクランプ回路（あるいはバイアス回路）１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大および出力容量レス化のために、正電源電圧＋Ｖと負電源電圧−Ｖが電源として供給される。Ｃ１は直流カット用のキャパシタ、Ｃ２は負電圧供給用のキャパシタである。なお、クランプ回路１１と映像信号処理回路１２には正電源電圧＋Ｖと接地電圧ＧＮＤが供給される。
【００１０】
チャージポンプ回路２０は、前記した図５に示した回路構成を持ち、スイッチＳＷ１〜ＳＷ４のオン／オフ動作により、負電圧−ＶをキャパシタＣ２に生成する。
【００１１】
３０は周波数可変型の発振回路であり、周波数制御回路４０で発生する制御信号によって、電流値が制御されることにより、発振周波数をスイープさせる。
【００１２】
図２はその周波数制御回路４０の内部構成を示す回路図である。Ｃ３はランプ電圧発生用のキャパシタ、Ｉ１はそのキャパシタＣ３への充電電流を決める電流源、Ｉ２はそのキャパシタＣ３の放電電流を決める電流源、４１はそのキャパシタＣ３に発生する電圧の上限値、下限値をリミットする上下リミット回路、４２はバッファ回路、４３はバッファ回路４２の出力電圧を上限閾値と下限閾値で比較して、その比較結果によりスイッチＳＷ０を切り換える比較回路、４４はバッファ回路４２の出力電圧を電流信号に変換するｇｍ増幅器等からなるＶ−Ｉ変換回路であり、このＶ−Ｉ変換回路４４の出力電流によって、周波数可変型発振回路３０の発振周波数が決まる。
【００１３】
この周波数制御回路４０は、キャパシタＣ３の電圧、つまりバッファ回路４２の出力電圧が比較回路４３の下限値を下回っていれば、スイッチＳＷ０がＬ側に切り替わり、電流源Ｉ１の電流がキャパシタＣ３に充電される。また、キャパシタＣ３の電圧が比較回路４３の上限値を上回っていれば、スイッチＳＷ０がＨ側に切り替わり、電流源Ｉ２の電流がキャパシタＣから放電される。従って、キャパシタＣ３には鋸波形状のランプ電圧が発生し、これがＶ−Ｉ変換回路４４で電流信号に変換され、周波数可変型発振回路３０に入力する。このため、周波数可変型発振回路３０で発振する周波数は、徐々に高くなり次に徐々に低くなり、これが繰り返されるので、スイープされ変化する。なお、上下リミッタ回路４１はバッファ回路４２の入力電圧範囲を決めるためのものである。
【００１４】
以上から、周波数可変型発振回路３０から出力する発振出力は、例えば、図３の「発振出力」に示すように、その周期が順次大きくなり、その後順次小さくなり、これが繰り返されるので、チャージポンプ回路２０で発生する負電圧に含まれるリップル成分の周期も同様に変化する。よって、チャージポンプ回路２０のスイッチＳＷ１〜ＳＷ４の切り替え時にスパイク状ノイズが発生しても、図３の「出力映像信号」に示すように、映像信号と同期し難く、また同期しても一瞬で外れるので、ビートノイズは発生しない。このことから、チャージポンプ回路２０が発生するスパイク状ノイズが映像信号に悪影響を与えることが大幅に低減され、映像信号品質を向上させることができる。
【００１５】
なお、上記実施例では、周波数制御回路４０によりランプ波形を生成して周波数可変型発振回路３０の発振周波数を制御したので、その発振周波数はスイープされたが、周波数制御回路４０でランダムに変化する波形を生成すれば、発振周波数もランダムに変化することになる。
【図面の簡単な説明】
【００１６】
【図１】本発明の実施例の映像回路の構成を示すブロック図である。
【図２】図１の映像回路の周波数制御回路の回路図である。
【図３】図１の映像回路の動作波形図である。
【図４】従来の映像回路の構成を示すブロック図である。
【図５】チャージポンプ回路の回路図である。
【図６】図４の映像回路の動作波形図である。
【符号の説明】
【００１７】
１０：映像処理回路、１１：クランプ回路、１２：映像信号処理回路、１３：出力駆動回路
２０：チャージポンプ回路
３０：周波数可変型発振回路
４０：周波数制御回路、４１：上下リミッタ回路、４２：バッファ回路、４３：比較回路、４４：Ｖ−Ｉ変換回路
５０：フリーラン発振回路
【図１】
0005058704.tif 000002
【図２】
0005058704.tif 000003
【図３】
0005058704.tif 000004
【図４】
0005058704.tif 000005
【図５】
0005058704.tif 000006
【図６】
0005058704.tif 000007